(57)【要約】【課題】各医用画像診断装置でのオプション医用部材の利用状況を管理できてオプション医用部材の貸し借りを効率よくすること。【解決手段】オプション医用部材３が適用可能であり、当該オプション医用部材３を用いて被検体の画像データを取得可能な医用画像診断装置２−１〜２−３等に、当該医用画像診断装置２−１及び他の医用画像診断装置２−２、２−３におけるオプション医用部材３の利用状況データを管理する各オプション情報管理部１１〜１３をそれぞれ備えた。【選択図】図１
2009199449.tif 000002
【特許請求の範囲】
【請求項１】
オプションの医用部材が適用可能であり、当該オプション医用部材を用いて被検体の画像データを取得可能な医用画像診断装置において、
当該医用画像診断装置及び少なくとも他の医用画像診断装置における前記オプション医用部材の利用状況を示すデータを管理するオプション情報管理部、
を具備することを特徴とする医用画像診断装置。
【請求項２】
前記オプション情報管理部は、前記他の医用画像診断装置に有する前記オプション情報管理部との間で前記利用状況データの内容の同一化を行うことを特徴とする請求項１記載の医用画像診断装置。
【請求項３】
前記オプション情報管理部は、前記オプション医用部材の前記利用状況データとして前記オプション医用部材を前記各医用画像診断装置に使用する予約状況の管理を含むことを特徴とする請求項１記載の医用画像診断装置。
【請求項４】
前記オプション情報管理部は、前記オプション医用部材の前記利用状況データとして前記オプション医用部材を最新に使用した前記医用画像診断装置の管理を含むことを特徴とする請求項１記載の医用画像診断装置。
【請求項５】
前記オプション情報管理部は、前記オプション医用部材の前記利用状況データとして前記オプション医用部材の校正時期又は耐用限度時期のいずれか一方又は両方を管理することを特徴とする請求項１記載の医用画像診断装置。
【請求項６】
被検体の画像データを取得する複数の医用画像診断装置のうちいずれかの前記医用画像診断装置により前記被検体の前記画像データを取得するための予約を行う検査予約システムにおいて、
前記複数の医用画像診断装置に対して適用可能なオプション医用部材の利用状況を示すデータを一元的に管理するオプション情報管理部を有し、
前記オプション情報管理部により一元的に管理される前記利用状況データに基づいて前記被検体の前記画像データを取得するための予約を行う、
ことを特徴とする検査予約システム。
【請求項７】
前記複数の医用画像診断装置のそれぞれに設けられ、それぞれ前記複数の医用画像診断装置における前記オプション医用部材の利用状況を示すデータを管理する複数のオプション情報管理部を備え、
前記各オプション情報管理部は、前記複数の医用画像診断装置に備えられた前記各オプション情報管理部との間で前記利用状況データの内容の同一化を行うことを特徴とする請求項６記載の検査予約システム。
【請求項８】
前記オプション情報管理部は、前記オプション医用部材の前記利用状況データとして前記オプション医用部材を前記各医用画像診断装置に使用する予約状況の管理を含むことを特徴とする請求項６記載の検査予約システム。
【請求項９】
前記オプション情報管理部は、前記オプション医用部材の前記利用状況データとして前記オプション医用部材を最新に使用した前記医用画像診断装置の管理を含むことを特徴とする請求項６記載の検査予約システム。
【請求項１０】
前記オプション情報管理部は、前記オプション医用部材の前記利用状況データとして前記オプション医用部材の校正時期又は耐用限度時期のいずれか一方又は両方を管理することを特徴とする請求項６記載の検査予約システム。
【請求項１１】
オプションの医用部材を適用可能で、かつ被検体の画像データを取得する複数の医用画像診断装置における前記オプション医用部材の利用状況を示すデータを一元的に管理することを特徴とするオプション情報管理装置。
【請求項１２】
前記複数の医用画像診断装置と、前記複数の医用画像診断装置のうちいずれかの前記医用画像診断装置により前記被検体の前記画像データを取得するための予約を行う検査予約システムとにそれぞれ設けられることを特徴とする請求項１１記載のオプション情報管理装置。
【請求項１３】
前記オプション医用部材の前記利用状況データとして前記オプション医用部材を前記各医用画像診断装置に使用する予約状況の管理を含むことを特徴とする請求項１１記載のオプション情報管理装置。
【請求項１４】
前記オプション医用部材の前記利用状況データとして前記オプション医用部材を最新に使用した前記医用画像診断装置の管理を含むことを特徴とする請求項１１記載のオプション情報管理装置。
【請求項１５】
前記オプション医用部材の前記利用状況データとして前記オプション医用部材の校正時期又は耐用限度時期のいずれか一方又は両方を管理することを特徴とする請求項１１記載のオプション情報管理装置。
【発明の詳細な説明】
【技術分野】
【０００１】
本発明は、例えば特殊な超音波プローブ等のオプション医用部材を適用可能とする医用画像診断装置、患者等の被検体の医療検査を行うために医用画像診断装置を使用する予約を行う検査予約システム、及びオプション医用部材の利用状況を管理するオプション情報管理装置に関する。
【背景技術】
【０００２】
医用画像診断装置には、当該装置本体に付属するオプション医用部材がある。このオプション医用部材は、装置本体に対して取り付け、取り外しによる交換を可能とし、装置本体に対して取り付けることにより装置本体の機能を向上させる。このようなオプション医用部材には、例えば超音波診断装置における特殊用途の超音波プローブや磁気共鳴装置に用いるＭＲコイル等がある。又、オプション医用部材には、医用画像診断装置として例えば超音波診断装置や磁気共鳴装置、Ｘ線ＣＴ装置、Ｘ線診断装置等に追加するソフトウエアもある。
【０００３】
このようなオプション医用部材は、医用画像診断装置に対する利用頻度が低く、かつ高価でなものもある。このため、オプション医用部材は、購入するには困難性が高いために、ある系列の病院等では各医用画像診断装置間で共用したり、又レンタルにより借り出すこともある。  
このような事から被検体の診断時に必要な場所で必要とするオプション医用部材が存在していることが必要である。このようなオプション医用部材は、被検体の診断時に必要な場所に存在していたとしても、医用画像診断装置本体と同様に、校正、性能、機能、耐用年数、利用回数、消毒等の記録が管理されるべきであり、出所の明らかなものを使用すべきである。
【０００４】
例えば特許文献１は、病院から依頼された医療機器をレンタルし、安価で効率的な医療検査を支援する医療機器レンタルシステムについて開示する。具体的に特許文献１は、複数の病院と、これら病院と医療機器のレンタル契約を結んだレンタル業者が運営する医療機器レンタルセンタとから構成し、各病院と医療機器レンタルセンタとを通信回線により接続し、このうち医療機器レンタルセンタは、ストックルームにある病院所望の内視鏡装置を指定日時に出荷し、病院の検査室で検査後に回収し、リプロセスルームでレンタルした内視鏡装置を洗滌、消毒等したのちストックルームに収納することを開示する。
【０００５】
特許文献２は、細径プローブの寿命を容易に知ることができる超音波診断装置について開示する。この特許文献２は、音響ミラーの回転数又は回転時間を測定し、その累積値をＴＶモニタ上に表示することにより、医師らは事前に新たなプローブを準備することができ、常に装置やプローブを正常に状態におくことによって良質な診断を行うことを可能とすることを開示する。
【０００６】
例えば超音波診断装置には、小児経食道用マルチプレーンＴＥＥプローブ等の特殊用途のプローブが存在する。この小児経食道用マルチプレーンＴＥＥプローブは、小児の食道から心臓を検査するためのもので、小児用として小さな形状に形成されている。このような特殊用途のプローブは、特殊用途のために出荷台数が非常に少ない。例えば、年間の超音波プローブの出荷数が数万本であり、このうち小児経食道用マルチプレーンＴＥＥプローブの出荷台数は、１０台以下のオーダの出荷数と言われている。このような実情から小児経食道用マルチプレーンＴＥＥプローブの価格は、超音波診断装置本体の価格と同程度の価格になる場合がある。
【０００７】
このように非常に特殊な用途のみに使用され、かつ高価な小児経食道用マルチプレーンＴＥＥプローブ等のオプション医用部材は、費用が掛かる割りに利用頻度が少なく、各超音波診断装置用として購入して当該各超音波診断装置にそれぞれ取り付けることは困難である。このため、小児経食道用マルチプレーンＴＥＥプローブ等のオプション医用部材は、同一病院内の各超音波診断装置間で共用したり、或いは互いに提携している各病院間や地域医療で連携している各病院間で共用し、貸し借りして使用することが考えられる。
【０００８】
オプション医用部材を貸し借りすると、オプション医用部材がどの施設や場所で使用されているのかを管理することが必要になる。又、超音波診断装置の超音波プローブ等は、耐用回数が決定され、かつ使用前に厳密な校正を定期的に必要とする。このような耐用回数及び校正を管理して超音波プローブ等を使用するには、非常に煩雑な管理を必要とする。又、オプション医用部材を必要とする医療検査の予約がされると、この予約された医療検査を行う場所にオプション医用部材が確実に存在することが必要である。
【０００９】
しかしながら、特許文献１は、病院から依頼された医療機器をレンタルし、安価で効率的な医療検査を支援することはできるが、病院とレンタル業者との間のみで、病院内、互いに提携している各病院間、或いは地域医療連携の各病院間で医療機器のレンタルを支援することは行われていない。
【００１０】
特許文献２は、音響ミラーの回転数又は回転時間を測定し、その累積値をＴＶモニタ上に表示することにより細径プローブの寿命を容易に知ることはできるが、超音波診断装置等の各医用画像診断装置間で細径プローブ等の寿命の情報を共有することはできない。
【特許文献１】特開２００４−３６２１６４号公報
【特許文献２】特開平６−１７８７７６号公報
【発明の開示】
【発明が解決しようとする課題】
【００１１】
本発明の目的は、各医用画像診断装置でのオプション医用部材の利用状況を管理できてオプション医用部材の貸し借りを効率よくできる医用画像診断装置、検査予約システム及びオプション情報管理装置を提供することにある。
【課題を解決するための手段】
【００１２】
本発明の請求項１に記載の医用画像診断装置は、オプションの医用部材が適用可能であり、当該オプション医用部材を用いて被検体の画像データを取得可能な医用画像診断装置において、当該医用画像診断装置及び少なくとも他の医用画像診断装置におけるオプション医用部材の利用状況を示すデータを管理するオプション情報管理部を具備する。
【００１３】
本発明の請求項６に記載の検査予約システムは、被検体の画像データを取得する複数の医用画像診断装置のうちいずれかの医用画像診断装置により被検体の画像データを取得するための予約を行う検査予約システムにおいて、複数の医用画像診断装置に対して適用可能なオプション医用部材の利用状況を示すデータを一元的に管理するオプション情報管理部を有し、オプション情報管理部により一元的に管理される利用状況データに基づいて被検体の画像データを取得するための予約を行う。
【００１４】
本発明の請求項１１に記載のオプション情報管理装置は、オプションの医用部材を適用可能で、かつ被検体の画像データを取得する複数の医用画像診断装置におけるオプション医用部材の利用状況を示すデータを一元的に管理する。
【発明の効果】
【００１５】
本発明によれば、各医用画像診断装置でのオプション医用部材の利用状況を管理できてオプション医用部材の貸し借りを効率よくできる医用画像診断装置、検査予約システム及びオプション情報管理装置を提供できる。
【発明を実施するための最良の形態】
【００１６】
以下、本発明の一実施の形態について図面を参照して説明する。  
図１は検査予約システムの全体構成図を示す。病院施設１内には、複数の医用画像診断装置、例えば３台の医用画像診断装置２−１、２−２、２−３が設置されている。これら医用画像診断装置２−１、２−２、２−３は、例えば超音波診断装置、ＭＲＩ装置、Ｘ線ＣＴ装置、各種Ｘ線診断装置等である。これら医用画像診断装置２−１、２−２、２−３は、それぞれ患者等の被検体の医療検査のために当該被検体の医用画像データすなわち超音波画像データ、ＭＲＩ画像データ、Ｘ線ＣＴ画像データ、Ｘ線画像データ等を取得する。
【００１７】
これら医用画像診断装置２−１、２−２、２−３は、例えば超音波診断装置であれば、オプション医用部材３として例えば小児経食道用マルチプレーンＴＥＥプローブ等の特殊用途のプローブが適用可能である。又、医用画像診断装置２−１、２−２、２−３が例えばＭＲＩ装置であれば、オプション医用部材３として例えばＭＲコイルが適用可能である。さらに、各医用画像診断装置２−１、２−２、２−３は、オプション医用部材として例えば超音波診断装置や磁気共鳴装置、Ｘ線ＣＴ装置、Ｘ線診断装置等に追加するソフトウエアもある。なお、図１では医用画像診断装置２−１、２−２、２−３にオプション医用部材３が取り付けられている。
【００１８】
病院施設１内には、検査予約システム４が設置されている。この検査予約システム４は、例えば病院施設１内の受付に設けられている。この検査予約システム４は、被検体の医用画像データを取得する各医用画像診断装置２−１、２−２、２−３のうちいずれかの医用画像診断装置により被検体の画像データを取得するための予約を行う。  
病院施設１内には、運送関連部門サーバ５が設置されている。この運送関連部門サーバ５は、各医用画像診断装置２−１、２−２、２−３に適用されるオプション医用部材の搬送を担当する部署に設置され、病院施設１内でオプション医用部材を各医用画像診断装置２−１、２−２、２−３等のいずれかの設置場所に搬送する予定の情報を管理する。
【００１９】
各医用画像診断装置２−１、２−２、２−３と検査予約システム４と運送関連部門サーバ５とは、ネットワークとして例えばＤＩＣＯＭネットワーク６に接続されている。このＤＩＣＯＭネットワーク６は、例えば病院施設１内にＨＩＳ（病院情報システム）やＲＩＳ（放射線情報システム）を形成する。これにより、各医用画像診断装置２−１、２−２、２−３と検査予約システム４と運送関連部門サーバ５とは、互いにＤＩＣＯＭネットワーク６を介して被検体の電子カルテ情報や検査情報、医用画像データ、予約情報等の授受を行う。
【００２０】
ＤＩＣＯＭネットワーク６には、通信網７を介して複数の他の病院施設、例えば病院施設１から見て院外である他の病院施設８、９、１０の各ＤＩＣＯＭネットワークに接続されている。これら他の病院施設８、９、１０は、病院施設１と同様に、複数の医用画像診断装置、例えば３台の医用画像診断装置２−１、２−２、２−３と、検査予約システム４と、運送関連部門サーバ５となどが設置されている。このうち各医用画像診断装置２−１、２−２、２−３は、オプション医用部材３、例えば超音波診断装置であれば小児経食道用マルチプレーンＴＥＥプローブ等の特殊用途のプローブ、例えばＭＲＩ装置であればＭＲコイルが適用可能である。さらに、各医用画像診断装置２−１、２−２、２−３は、オプション医用部材３として例えば超音波診断装置や磁気共鳴装置、Ｘ線ＣＴ装置、Ｘ線診断装置等に追加するソフトウエアもある。
【００２１】
従って、病院施設１と他の病院施設８、９、１０との間では、相互に小児経食道用マルチプレーンＴＥＥプローブ等の特殊用途のプローブやＭＲコイル、各医用画像診断装置２−１、２−２、２−３に追加するソフトウエアを共用している。
【００２２】
各医用画像診断装置２−１、２−２、２−３には、それぞれオプション情報管理部１１、１２、１３が備えられている。同様に、検査予約システム４にもオプション情報管理部１４が備えられている。これらオプション情報管理部１１〜１４は、オプション医用部材３の利用状況を示すデータを管理するために同一機能を有するもので、それぞれ病院施設１内に設置されている各医用画像診断装置２−１、２−２、２−３や、他の病院施設８、９、１０に設置されている各医用画像診断装置２−１、２−２、２−３等に共用して使用するオプション医用部材、例えば小児経食道用マルチプレーンＴＥＥプローブ等の特殊用途のプローブやＭＲコイル、各医用画像診断装置２−１、２−２、２−３に追加するソフトウエア等の利用状況データを管理する。
【００２３】
なお、これらオプション情報管理部１１〜１４は、それぞれコンピュータから成り、予め記憶されているオプション情報管理プログラムを実行することにより動作する。オプション情報管理プログラムは、病院施設１内に設置されている各医用画像診断装置２−１、２−２、２−３や、他の病院施設８、９、１０に設置されている各医用画像診断装置２−１、２−２、２−３等にそれぞれ備えられている各オプション情報管理部１１〜１４の相互間で利用状況データの内容を同一化する。
【００２４】
具体的に各オプション情報管理部１１〜１４は、互いに利用状況データの内容の同一化を行う。すなわち、病院施設１内に設置されている各医用画像診断装置２−１、２−２、２−３や、他の病院施設８、９、１０に設置されている各医用画像診断装置２−１、２−２、２−３等にそれぞれ備えられている各オプション情報管理部１１〜１４の相互間で利用状況データの内容の同一化が行われる。例えば各オプション情報管理部１１〜１４は、一定間隔毎に利用状況データの内容の同一化を行う。又は各オプション情報管理部１１〜１４は、各医用画像診断装置２−１、２−２、２−３において医療検査終了時に発生するイベント情報を受け取り、このイベント情報を受け取ったときに利用状況データの内容の同一化を行う。
【００２５】
各オプション情報管理部１１〜１４は、オプション医用部材３の利用状況データとしてオプション医用部材３を病院施設１及び他の病院施設８、９、１０に設置されている各医用画像診断装置２−１、２−２、２−３等に使用する予約状況の管理を含む。
【００２６】
各オプション情報管理部１１〜１４は、オプション医用部材３の利用状況データとしてオプション医用部材３を最新に使用した病院施設１及び他の病院施設８、９、１０に設置されている各医用画像診断装置２−１、２−２、２−３等の管理を含む。  
各オプション情報管理部１１〜１４は、オプション医用部材３の利用状況データとしてオプション医用部材３の校正時期又は耐用限度時期のいずれか一方又は両方を管理する。
【００２７】
各オプション情報管理部１１〜１４は、病院施設１内で互いに通信が不可能であると、通信が不可能となった各オプション情報管理部１１〜１４を示す警告等を報知する。又、各オプション情報管理部１１〜１４は、他の病院施設８、９、１０に設置されている各医用画像診断装置２−１、２−２、２−３等に対して互いに通信が不可能であると、通信が不可能となった他の病院施設８、９、１０における各オプション情報管理部１１〜１４を示す警告等を報知する。
【００２８】
各オプション情報管理部１１〜１４は、それぞれオプション医用部材３の利用状況を管理するための利用状況データとして次のようなオプション情報を保持する。すなわち、オプション情報は、以下の各項目１〜６の各情報を含む。  
１．各医用画像診断装置２−１、２−２、２−３等を一意的に特定するための各ＩＤ  
２．各医用画像診断装置２−１、２−２、２−３等の形式  
３．各医用画像診断装置２−１、２−２、２−３等の場所、例えば病院施設１及び他の病院施設８、９、１０の名称、診療科目、病院施設１及び他の病院施設８、９、１０が入っているビルディングの名称等  
４．各医用画像診断装置２−１、２−２、２−３等に使用可能なオプション医用部材３の形式のリスト  
５．通信可能な各オプション情報管理部１１〜１４のＩＤリスト、例えばオプション情報管理部１１であれば、当該オプション情報管理部１１以外の各オプション情報管理部１２〜１４の各ＩＤリスト  
６．オプション医用部材３の利用情報  
である。
【００２９】
このうち項目６のオプション医用部材３の利用情報は、以下の各項目（ａ）〜（ｌ）の各情報を有する。  
（ａ）オプション医用部材３を示すオプションＩＤ  
（ｂ）オプション医用部材３の形式  
（ｃ）各医用画像診断装置２−１、２−２、２−３等に対するオプション医用部材３の使用可能／不可  
（ｄ）オプション医用部材３の耐用時間、耐用回数  
（ｅ）オプション医用部材３を使用可能とする各医用画像診断装置２−１、２−２、２−３等の形式のリスト  
（ｆ）各医用画像診断装置２−１、２−２、２−３等においてオプション医用部材３を使用しているか否か、すなわち現在、各医用画像診断装置２−１、２−２、２−３等に対してオプション医用部材３を取り付けているか否かの状態  
（ｇ）最新にオプション医用部材３を使用した日時（時刻）、すなわち、オプション医用部材３を使用した最も新しい日時（時刻）  
（ｈ）オプション医用部材３を最新に使用した各医用画像診断装置２−１、２−２、２−３等のＩＤ  
（ｉ）オプション医用部材３を使用した合計時間  
（ｊ）オプション医用部材３を使用した合計の利用時間  
（ｋ）オプション医用部材３のライセンス期限、すなわちオプション医用部材３を利用可能とする期限  
（ｌ）オプション医用部材３の校正有効期限  
である。
【００３０】
次に、上記の如く構成された検査予約システムにおけるオプション医用部材の利用状況を管理動作について図２に示す検査予約の流れを示すアクティビィ図を参照して説明する。  
患者が病院施設１内の受付に来院すると、治療等の受付を行う。このとき、検査予約システム４は、患者である被検体の医用画像データを取得する各医用画像診断装置２−１、２−２、２−３のうちいずれかの医用画像診断装置により被検体の画像データを取得するための予約を行う。例えば、患者が例えば小児経食道用マルチプレーンＴＥＥプローブ等の特殊用途のプローブを取り付けた超音波診断装置を用いて行う医療検査の予約をすると、この医療検査の予約の情報は、検査予約システム４に入力される。すなわち、検査予約システム４は、超音波診断装置を使用すること、この超音波診断装置を使用する日時、この超音波診断装置小児経食道用マルチプレーンＴＥＥプローブ等の特殊用途のプローブであるオプション医用部材３を使用すること、オプション医用部材３を使用する日時の予約の情報を入力する。
【００３１】
これにより検査予約システム４のオプション情報管理部１４は、超音波診断装置を使用すること、この超音波診断装置を使用する日時、この超音波診断装置小児経食道用マルチプレーンＴＥＥプローブ等の特殊用途のプローブであるオプション医用部材３を使用すること、オプション医用部材３を使用する日時の予約の情報を受け取る。  
先ず、オプション情報管理部１４は、オプション医用部材３を使用するか否かを判断する。この判断の結果、医用画像診断装置２−１がオプション医用部材３を使用することが明らかなので、オプション情報管理部１４は、オプション医用部材３を使用するものと判断する。  
次に、オプション情報管理部１４は、小児経食道用マルチプレーンＴＥＥプローブ等の特殊用途のプローブであるオプション医用部材３を使用な超音波診断装置を各医用画像診断装置２−１、２−２、２−３の中から判断する。すなわち、オプション情報管理部１４は、検査予約システム４から受け取った超音波診断装置を使用すること、この超音波診断装置を使用する日時、この超音波診断装置小児経食道用マルチプレーンＴＥＥプローブ等の特殊用途のプローブであるオプション医用部材３を使用すること、オプション医用部材３を使用する日時の予約の情報を、自身で保持するオプション医用部材３の利用状況を管理するための利用状況データである上記各項目１〜６に示すオプション情報と、上記各項目（ａ）〜（ｌ）に示すオプション医用部材３の利用情報とを参照して小児経食道用マルチプレーンＴＥＥプローブ等の特殊用途のプローブであるオプション医用部材３を使用な超音波診断装置を各医用画像診断装置２−１、２−２、２−３の中から判断する。
【００３２】
例えば、オプション情報としては、４．各医用画像診断装置２−１、２−２、２−３等に使用可能なオプション医用部材３の形式のリスト、６．オプション医用部材３の利用情報等であり、  
オプション医用部材３の利用情報としては、例えば（ａ）オプション医用部材３を示すオプションＩＤ、（ｂ）オプション医用部材３の形式、（ｃ）各医用画像診断装置２−１、２−２、２−３等に対するオプション医用部材３の使用可能／不可、（ｅ）オプション医用部材３を使用可能とする各医用画像診断装置２−１、２−２、２−３等の形式のリスト、（ｆ）各医用画像診断装置２−１、２−２、２−３等においてオプション医用部材３を使用しているか否か、すなわち現在、各医用画像診断装置２−１、２−２、２−３等に対してオプション医用部材３を取り付けているか否かの状態等である。
【００３３】
ここで、例えば各医用画像診断装置２−１、２−２、２−３のうちオプション医用部材３を使用可能な超音波診断装置が例えば医用画像診断装置２−１であれば、検査予約システム４は、医用画像診断装置２−１を用いて患者の医療検査を行うことが可能であるとして医療検査の予約を確定する。
【００３４】
これに対して小児経食道用マルチプレーンＴＥＥプローブ等の特殊用途のプローブであるオプション医用部材３が超音波診断装置である例えば医用画像診断装置２−１に取り付けられていなければ、オプション情報管理部１４は、運送関連部門サーバ５に対して例えば医用画像診断装置２−１の設置場所に小児経食道用マルチプレーンＴＥＥプローブ等の特殊用途のプローブであるオプション医用部材３を移動させる依頼を行う。
【００３５】
これにより運送関連部門サーバ５は、小児経食道用マルチプレーンＴＥＥプローブ等の特殊用途のプローブであるオプション医用部材３を例えば医用画像診断装置２−１が設置されている場所に移動させる依頼を受ける。これにより、オプション医用部材３の移動を担当する部署では、小児経食道用マルチプレーンＴＥＥプローブ等の特殊用途のプローブであるオプション医用部材３の移動手続を行い、オプション医用部材３を取り付けて医用画像診断装置２−１により患者等の被検体の医療検査を行う日時までに、小児経食道用マルチプレーンＴＥＥプローブ等の特殊用途のプローブであるオプション医用部材３を医用画像診断装置２−１の設置場所に移動する。
【００３６】
これと共に、オプション情報管理部１４は、例えば医用画像診断装置２−１に対して当該医用画像診断装置２−１の設置場所に小児経食道用マルチプレーンＴＥＥプローブ等の特殊用途のプローブであるオプション医用部材３を移動することを許可する依頼を行ったことを例えば医用画像診断装置２−１に備えられているディスプレイに表示させる情報を送る。これにより、医用画像診断装置２−１は、ディスプレイに小児経食道用マルチプレーンＴＥＥプローブ等の特殊用途のプローブであるオプション医用部材３を移動することを表示する。この医用画像診断装置２−１のディスプレイには、小児経食道用マルチプレーンＴＥＥプローブ等の特殊用途のプローブであるオプション医用部材３を用いて医療検査を行う日時を表示してもよい。  
この結果、検査予約システム４は、医用画像診断装置２−１を用いて患者の医療検査を行うことが可能であるとして医療検査の予約を確定する。
【００３７】
次に、図３に示す検査実施後の利用状況データの更新の流れを示すアクティビィ図を参照して検査実施時の動作について説明する。  
検査予約システム４において検査予約した例えば小児経食道用マルチプレーンＴＥＥプローブ等の特殊用途のプローブであるオプション医用部材３を取り付けての超音波診断装置である医用画像診断装置２−１による医療検査の日時が来ると、当該医用画像診断装置２−１は、オプション医用部材３を取り付けて患者等の被検体の超音波画像データを取得して医療検査を実施する。
【００３８】
このように被検体の医療検査を実施するとき、超音波診断装置である医用画像診断装置２−１には、例えば小児経食道用マルチプレーンＴＥＥプローブ等の特殊用途のプローブであるオプション医用部材３が取り付けられる。この医用画像診断装置２−１のオプション情報管理部１１は、オプション医用部材３の取り付け時に、当該オプション医用部材３のオプションＩＤを検知する。
【００３９】
被検体の医療検査の実施が終了すると、医用画像診断装置２−１のオプション情報管理部１１は、オプションＩＤに該当するオプション情報を更新する。例えば、オプション医用部材３の利用情報として（ｄ）オプション医用部材３の耐用時間、耐用回数、（ｆ）各医用画像診断装置２−１、２−２、２−３等においてオプション医用部材３を使用しているか否か、すなわち現在、各医用画像診断装置２−１、２−２、２−３等に対してオプション医用部材３を取り付けているか否かの状態、（ｇ）最新にオプション医用部材３を使用した日時（時刻）、すなわち、オプション医用部材３を使用した最も新しい日時（時刻）、（ｈ）オプション医用部材３を最新に使用した各医用画像診断装置２−１、２−２、２−３等のＩＤ、（ｉ）オプション医用部材３を使用した合計時間、（ｊ）オプション医用部材３を使用した合計の利用時間等が更新される。
【００４０】
これと共に、オプション情報管理部１１は、更新したオプションＩＤに該当するオプション情報を他の各医用画像診断装置２−２、２−３等の各オプション情報管理部１２、１３に通知すると共に、検査予約システム４のオプション情報管理部１４に通知する。これにより、各医用画像診断装置２−２、２−３等の各オプション情報管理部１２、１３は、それぞれ医用画像診断装置２−１のオプション情報管理部１１から通知されたオプション情報の更新内容に従って上記同様にオプションＩＤに該当するオプション情報を更新する。
【００４１】
これと共に、検査予約システム４のオプション情報管理部１４も医用画像診断装置２−１のオプション情報管理部１１から通知されたオプション情報の更新内容に従って上記同様にオプションＩＤに該当するオプション情報を更新する。これにより、各オプション情報管理部１１〜１４は、それぞれ保持する利用状況データの内容を同一化する。
【００４２】
又、オプション情報管理部１１は、更新したオプションＩＤに該当するオプション情報を通信網７を介して他の病院施設８〜１０にも通知する。これにより、他の病院施設８〜１０における各医用画像診断装置２−１〜２−３及び検査予約システム４は、それぞれオプション情報管理部１１から通知されたオプション情報の更新内容に従って上記同様にオプションＩＤに該当するオプション情報を更新する。
【００４３】
ここで、検査予約システム４のオプション情報管理部１４は、オプションＩＤに該当するオプション情報の更新を行うと、当該更新したオプション情報のうちオプション医用部材３の利用情報の項目（ｄ）に基づいてオプション医用部材３の耐用時間、耐用回数が予め設定された耐用時間、耐用回数以内か否かを判断する。なお、オプション情報管理部１４は、オプション医用部材３の耐用時間又は耐用回数のいずれか一方又は両方を予め設定された耐用時間、耐用回数以内か否かを判断するようにすればよい。
【００４４】
この判断の結果、オプション医用部材３の耐用時間、耐用回数が予め設定された耐用時間、耐用回数以内であれば、次に、オプション情報管理部１４は、更新したオプションＩＤに該当するオプション情報のうちオプション医用部材３の利用情報の項目（ｋ）（ｌ）に基づいてオプション医用部材３が予め設定されたオプション医用部材３のライセンス期限内であるか否か、又オプション医用部材３が予め設定されたオプション医用部材３の校正有効期限内であるか否かを判断する。
【００４５】
この判断の結果、オプション医用部材３が予め設定されたオプション医用部材３のライセンス期限内でなく、又オプション医用部材３が予め設定されたオプション医用部材３の校正有効期限内でなければ、オプション情報管理部１４は、オプション医用部材３の使用を禁止する。
【００４６】
そして、オプション情報管理部１４は、オプション医用部材３の使用を禁止した情報を含めてオプションＩＤに該当するオプション情報を更新する。オプション情報を更新すると、このオプション情報管理部１４は、オプション医用部材３の使用を禁止した情報を含めて更新したオプションＩＤに該当するオプション情報を各医用画像診断装置２−１〜２−３等の各オプション情報管理部１１〜１３に通知する。これにより、各医用画像診断装置２−１〜２−３等の各オプション情報管理部１１〜１３は、それぞれ検査予約システム４のオプション情報管理部１４から通知されたオプション情報の更新内容に従って上記同様にオプションＩＤに該当するオプション情報を更新する。これにより、各オプション情報管理部１１〜１４は、それぞれ保持する利用状況データの内容を同一化する。  
しかるに、検査予約システム４は、オプション情報管理部１４で保持するオプション情報においてオプション医用部材３の使用を禁止しているので、オプション医用部材３の使用の予約が不可能になる。
【００４７】
このときもオプション情報管理部１４は、更新したオプションＩＤに該当するオプション情報を通信網７を介して他の病院施設８〜１０にも通知する。これにより、他の病院施設８〜１０における各医用画像診断装置２−１〜２−３及び検査予約システム４は、それぞれオプション情報管理部１１から通知されたオプション情報の更新内容に従って上記同様にオプションＩＤに該当するオプション情報を更新する。
【００４８】
この後、小児経食道用マルチプレーンＴＥＥプローブ等の特殊用途のプローブであるオプション医用部材３の校正が終了するか、又はライセンスの更新が終了すると、当該オプション医用部材３の校正が終了したこと、又はライセンスの更新が終了したことが検査予約システム４のオプション情報管理部１４に入力される。
【００４９】
これにより当該オプション情報管理部１４は、オプション医用部材３の校正が終了したこと、又はライセンスの更新が終了したことを含めてオプションＩＤに該当するオプション情報を更新する。しかるに、オプション情報管理部１４は、オプション医用部材３の校正が終了したこと、又はライセンスの更新が終了したことの情報を含めて更新したオプションＩＤに該当するオプション情報を各医用画像診断装置２−１〜２−３等の各オプション情報管理部１１〜１３に通知する。これにより、各医用画像診断装置２−１〜２−３等の各オプション情報管理部１１〜１３は、それぞれ検査予約システム４のオプション情報管理部１４から通知されたオプション情報の更新内容に従って上記同様にオプションＩＤに該当するオプション情報を更新する。これにより、各オプション情報管理部１１〜１４は、それぞれ保持する利用状況データの内容を同一化する。  
このときもオプション情報管理部１４は、更新したオプションＩＤに該当するオプション情報を通信網７を介して他の病院施設８〜１０にも通知する。これにより、他の病院施設８〜１０における各医用画像診断装置２−１〜２−３及び検査予約システム４は、それぞれオプション情報管理部１１から通知されたオプション情報の更新内容に従って上記同様にオプションＩＤに該当するオプション情報を更新する。
【００５０】
しかるに、検査予約システム４は、オプション情報管理部１４で保持するオプション情報においてオプション医用部材３の使用の禁止が解除されるので、オプション医用部材３の使用の予約が再度可能になる。
【００５１】
一方、上記オプション医用部材３の耐用時間、耐用回数が予め設定された耐用時間、耐用回数以内か否かを判断した結果、オプション医用部材３の耐用時間、耐用回数が予め設定された耐用時間、耐用回数を超えていれば、検査予約システム４のオプション情報管理部１４は、オプション医用部材３の使用を禁止する。
【００５２】
そして、オプション情報管理部１４は、オプション医用部材３の使用を禁止した情報を含めてオプションＩＤに該当するオプション情報を更新する。オプション情報を更新すると、このオプション情報管理部１４は、オプション医用部材３の使用を禁止した情報を含めて更新したオプションＩＤに該当するオプション情報を各医用画像診断装置２−１〜２−３等の各オプション情報管理部１１〜１３に通知する。これにより、各医用画像診断装置２−１〜２−３等の各オプション情報管理部１１〜１３は、それぞれ検査予約システム４のオプション情報管理部１４から通知されたオプション情報の更新内容に従って上記同様にオプションＩＤに該当するオプション情報を更新する。これにより、各オプション情報管理部１１〜１４は、それぞれ保持する利用状況データの内容を同一化する。  
このときもオプション情報管理部１４は、更新したオプションＩＤに該当するオプション情報を通信網７を介して他の病院施設８〜１０にも通知する。これにより、他の病院施設８〜１０における各医用画像診断装置２−１〜２−３及び検査予約システム４は、それぞれオプション情報管理部１１から通知されたオプション情報の更新内容に従って上記同様にオプションＩＤに該当するオプション情報を更新する。
【００５３】
しかるに、検査予約システム４は、オプション情報管理部１４で保持するオプション情報においてオプション医用部材３の使用を禁止しているので、オプション医用部材３の使用の予約が不可能になる。
【００５４】
なお、検査予約システム４のオプション情報管理部１４は、オプション医用部材３の耐用時間、耐用回数が予め設定された耐用時間、耐用回数を越えたり、又はオプション医用部材３が予め設定されたライセンス期限を越えると、当該オプション医用部材３の使用を禁止すると共に、オプション医用部材３の使用を禁止することの警告を発する。又、オプション情報管理部１４は、オプション医用部材３の使用を禁止することの警告を各医用画像診断装置２−１〜２−３等の各オプション情報管理部１１〜１３に通知する。
【００５５】
このように上記一実施の形態によれば、オプション医用部材３が適用可能であり、当該オプション医用部材３を用いて被検体の画像データを取得可能な医用画像診断装置２−１〜２−３等に、当該医用画像診断装置２−１及び他の医用画像診断装置２−２、２−３におけるオプション医用部材３の利用状況データを管理する各オプション情報管理部１１〜１３をそれぞれ備えた。
【００５６】
これにより、例えば医用画像診断装置２−１のオプション情報管理部１１によってオプション医用部材３の利用状況データを更新すると、この更新された利用状況データ、例えばオプション医用部材３を使用した最も新しい日時（時刻）、（ｈ）オプション医用部材３を最新に使用した各医用画像診断装置２−１〜２−３等のＩＤ、（ｉ）オプション医用部材３を使用した合計時間、（ｊ）オプション医用部材３を使用した合計の利用時間等を他の医用画像診断装置２−２〜２−３の各オプション情報管理部１２、１３においても同様の利用状況データ内容に更新でき、オプション医用部材３の利用状況データを一元化して管理できる。従って、各医用画像診断装置２−１〜２−３等においてそれぞれオプション医用部材３の利用状況データを把握できる。
【００５７】
又、各医用画像診断装置２−１〜２−３に対して各オプション情報管理部１１〜１３をそれぞれ備えるだけで、例えば既存の各医用画像診断装置２−１〜２−３に対して各オプション情報管理部１１〜１３を後付けするだけで、オプション医用部材３の利用状況データを一元化して管理でき、オプション医用部材３の利用状況データを把握できる。
【００５８】
検査予約システムに対して例えば各医用画像診断装置２−１〜２−３に対して適用可能なオプション医用部材３の利用状況を示すデータを一元的に管理するオプション情報管理部１４を備えたので、例えば小児経食道用マルチプレーンＴＥＥプローブ等の特殊用途のプローブであるオプション医用部材３を適用可能な例えば医用画像診断装置２−１を判断して医療検査の予約ができると共に、当該医用画像診断装置２−１に適用可能なオプション医用部材３の存在位置等を判断できる。
【００５９】
この判断の結果、オプション医用部材３が医用画像診断装置２−１に取り付けられていれば、オプション医用部材３を移動する必要がなく、又、オプション医用部材３が医用画像診断装置２−１に取り付けられていなければ、医療検査を実施する日時に間に合うようにオプション医用部材３を医用画像診断装置２−１の設置位置に移動する依頼を行うことができる。これにより、オプション医用部材３を医用画像診断装置２−１によって確実に医療検査を実施できる。医療検査の予約の際にも、オプション医用部材３を必要とする医療検査を重複して予約することがなく、確実に医療検査のスケジューリングができる。
【００６０】
小児経食道用マルチプレーンＴＥＥプローブ等のオプション医用部材３は、非常に特殊な用途のみに使用され、かつ高価であることから同一病院施設１内の各超音波診断装置間で共用したり、或いは互いに提携している他病院８〜１０や地域医療で連携している各病院間で共用し、貸し借りして使用することが考えられる。このようにオプション医用部材３を同一病院施設１内の各超音波診断装置間で共用したり、或いは互いに提携している他病院８〜１０や地域医療で連携している各病院間で共用し、貸し借りして使用したとしても、病院施設１や他病院８〜１０に設けられた各オプション情報管理部によって、病院施設１や他病院８〜１０間でオプション医用部材３の利用状況データ内容に更新でき、オプション医用部材３の利用状況データを一元化して管理できる。従って、病院施設１や他病院８〜１０においてそれぞれオプション医用部材３の利用状況データを把握できる。
【００６１】
又、検査予約システム４のオプション情報管理部１４は、オプション医用部材３の耐用時間、耐用回数が予め設定された耐用時間、耐用回数以内か否かを判断したり、又オプション医用部材３が予め設定されたライセンス期限を越えた否かを判断する。これにより、オプション医用部材３の耐用時間、耐用回数が予め設定された耐用時間、耐用回数を越えたり、又はオプション医用部材３が予め設定されたライセンス期限を越えると、当該オプション医用部材３の使用を禁止すると共に、オプション医用部材３の使用を禁止することの警告を発することができる。従って、かかるオプション医用部材３を使用しての医療検査の予約をできなくすることができる。
【００６２】
又、検査予約システム４のオプション情報管理部１４は、オプション医用部材３の校正時期であるか否かを診断できる。これにより、オプション医用部材３の校正時期であれば、オプション医用部材３の使用を禁止して校正を促すことができる。この後、オプション医用部材３の校正が終了すると、検査予約システム４のオプション情報管理部１４は、オプション医用部材３の使用の禁止を解除し、オプション医用部材３の使用の予約を再度可能にできる。なお、オプション医用部材３の使用を禁止して校正を促すことの情報や、オプション医用部材３の校正が終了してオプション医用部材３の使用の禁止を解除し、オプション医用部材３の使用の予約が再度可能になったことの情報も他のオプション情報管理部１１〜１３や他病院８〜１０や地域医療で連携している各病院にも通知できる。
【００６３】
従って、各医用画像診断装置２−１〜２−３でのオプション医用部材３の利用状況を管理できてオプション医用部材３の貸し借りを効率よくできる。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】本発明に係る検査予約システムの一実施の形態を示す全体構成図。
【図２】同検査予約システムにおける検査予約の流れを示すアクティビィ図。
【図３】同検査予約システムにおける検査実施後の利用状況データの更新の流れを示すアクティビィ図。
【符号の説明】
【００６６】
１：病院施設、２−１，２−２，２−３：医用画像診断装置、３：オプション医用部材、４：検査予約システム、５：運送関連部門サーバ、６：ＤＩＣＯＭネットワーク、７：通信網、８，９，１０：他の病院施設、１１〜１４：オプション情報管理部。
【図１】
2009199449.tif 000003
【図２】
2009199449.tif 000004
【図３】
2009199449.tif 000005